(57)【要約】【課題】計時時刻の補正を行うために有効な温度補正タイミングを記憶することで、温度補正テーブルのメモリ量を最小限のものとできる電子時計装置を提供することを目的とする。【解決手段】電子時計装置１は、補正値設定部１４で設定される補正値又は周囲温度を日時に基づいて記憶する温度補正テーブル１５を備える。そして、計時部１３で計時された日時が温度補正テーブル１５に記憶された日時と一致するとき、補正値設定部１４は、その一致した日時に対応した補正値又は周囲温度を、温度補正テーブル１５より読み出す。これにより、補正値設定部１４が補正値を決定して周波数調整部１６に与えることで、周波数調整１６により発振器１１及び分周器１２が制御されて、計時部１３での計時遅れが抑制される。【選択図】図１
2010190585.tif 000002
【特許請求の範囲】
【請求項１】
水晶発振子の発振動作に基づく計時用信号を計数して日時を計時する計時部と、前記計時用信号の周波数を調整する周波数調整部と、を備える電子時計装置において、
前記水晶発振子の発振周波数の温度特性と年間の周囲温度の遷移とにより予め決定された、前記周波数調整部での調整量を変更する年間の設定タイミングを、その調整量を決定するためのパラメータとともに記憶した温度補正テーブルと、
前記計時部で計時された日時が、前記温度補正テーブルに記憶された設定タイミングのうちの１つと一致したとき、一致した当該設定タイミングに対応させたパラメータを前記温度補正テーブルより読み出して、読み出した該パラメータに応じた調整量を前記周波数調整部に決定させる補正値設定部と、
を備えることを特徴とする電子時計装置。
【請求項２】
請求項１において、
前記設定タイミングが、所定時間の平均温度が所定量だけ変化した日時によって決定されることを特徴とする電子時計装置。
【請求項３】
請求項１において、
前記設定タイミングが、前記水晶発振子の発振周波数の、所定時間の平均温度に基づく周波数偏差が所定量だけ変化した日時によって決定されることを特徴とする電子時計装置。
【請求項４】
請求項１乃至請求項３のいずれか一項において、
前記温度補正テーブルが、地域毎に決定された設定タイミングとパラメータとによる複数のデータテーブルによって構成され、
当該複数のデータテーブルのうち、前記電子時計装置が設置された地域に対応したデータテーブルが、前記補正値設定部で参照されるテーブルとして選択されることを特徴とする電子時計装置。
【請求項５】
請求項１乃至請求項４のいずれか一項に記載の電子時計装置を備え、
該電子時計装置で計時された日時に基づいて動作することを特徴とする電子機器。
【請求項６】
請求項１乃至請求項４のいずれか一項に記載の電子時計装置を備え、
システムを構成する各装置が、前記電子時計装置で計時された日時に基づいて動作することを特徴とする制御システム。
【発明の詳細な説明】
【技術分野】
【０００１】
本発明は、水晶発振子を有する時計回路を備えた電子時計装置に関するもので、特に、時計回路の計時動作を調整できる電子時計装置に関する。又、本発明は、この電子時計装置で計時された日時を使用して動作する、電子機器及び制御システムに関する。
【背景技術】
【０００２】
従来より、照明装置又は空調装置などの負荷機器を制御する制御システムや、警報器からの警報や電気錠の開閉などを管理する管理システムなどにおいて、そのシステム内でのタイマ制御や時刻の計時のために、電子時計装置がシステム内に組み込まれている。このようにシステム内に設置された電子時計装置の多くは、時計回路として、水晶振動子による発振周波数に基づいて時刻を計時するものを採用している。そして、水晶振動子による発信周波数により時刻を計時する時計回路は、水晶発振子による発振周波数が温度変化によって変動するため、環境温度に起因して計時した時刻に誤差が生じるという問題があった。
【０００３】
この環境温度に起因した計時時刻の誤差を補正する電子時計装置として、動作状態の異なる複数の動作モードにおける周囲温度を記憶し、装置の動作モードに対応した周囲温度によって決定する誤差により、計時時刻を補正するリアルタイムクロック制御装置が提案されている（特許文献１参照）。この特許文献１によるリアルタイムクロック制御装置は、リアルタイムクロック制御装置を備えた複合機の各動作モードに基づいた周囲温度を記憶している。そして、複合機の動作モードに基づいて周囲温度を推定し、推定した周囲温度に適した補正プロファイルにより、時刻補正を行う。更に、特許文献１では、地域毎の基準温度差を記憶することによって、推定する周囲温度を設置地域ごとに補正できる機能を備えるリアルタイムクロック制御装置についても開示されている。又、月別平均気温に基づく一日あたりの時刻誤差テーブルを用いて、計時時刻を補正する電子式時計装置も提案されている（特許文献２参照）。
【先行技術文献】
【特許文献】
【０００４】
【特許文献１】特開２００８−０６４６７８号公報
【特許文献２】特開２００３−２４０８８４号公報
【発明の概要】
【発明が解決しようとする課題】
【０００５】
この特許文献１のリアルタイムクロック制御装置は、複合機の動作モードに応じて周囲温度を推定するため、常に温度調節されているような場所では正確な時刻調整も可能である。しかしながら、人が在室しているときだけ温度調節されているような屋内や温度調節のない屋外においては、季節によって遷移する温度の影響も受けるため、１年を通して動作させた場合、計時される時刻が大きくずれる時期が生じてしまう。
【０００６】
それに対して、特許文献２では、月別平均気温に基づく時刻誤差テーブルを備えることで、月毎の平均気温に応じた計時時刻の補正が可能である。しかしながら、温度の変動が小さい地域においては、その季節によっては、前後の月の月別平均気温がほぼ等しく、時刻誤差テーブルに無駄に記憶させていることがある。逆に、温度の変動が大きい地域においては、その季節によっては、１月における温度変化が激しいため、日単位で計時時刻の補正が必要となり、月別平均気温に基づいた補正では不十分となってしまう。
【０００７】
このような問題を鑑みて、計時時刻の補正を行うために有効な温度補正タイミングを記憶することで、温度補正テーブルのメモリ量を最小限のものとできる電子時計装置を提供することを目的とする。
【課題を解決するための手段】
【０００８】
上記目的を達成するために、本発明の電子時計装置は、水晶発振子の発振動作に基づく計時用信号を計数して日時を計時する計時部と、前記計時用信号の周波数を調整する周波数調整部と、を備える電子時計装置において、前記水晶発振子の発振周波数の温度特性と年間の周囲温度の遷移とにより予め決定された、前記周波数調整部での調整量を変更する年間の設定タイミングを、その調整量を決定するためのパラメータとともに記憶した温度補正テーブルと、前記計時部で計時された日時が、前記温度補正テーブルに記憶された設定タイミングのうちの１つと一致したとき、一致した当該設定タイミングに対応させたパラメータを前記温度補正テーブルより読み出して、読み出した該パラメータに応じた調整量を前記周波数調整部に決定させる補正値設定部と、を備えることを特徴とする。
【０００９】
このとき、前記設定タイミングを、所定時間の平均温度が所定量だけ変化した日時によって決定されるものとしてもよい。即ち、年間の周囲温度の遷移に基づいて、その温度差が所定値となる毎に、設定タイミングを決定し、そのときの平均温度又は前記水晶発振子の発振周波数の周波数偏差を前記パラメータとして記憶する。これにより、温度差が小さく、前記周波数調整部による調整量に変化がない設定タイミングを記憶させる必要がなくなる。
【００１０】
又、前記設定タイミングを、前記水晶発振子の発振周波数の、所定時間の平均温度に基づく周波数偏差が所定量だけ変化した日時によって決定されるものとしてもよい。即ち、年間の周囲温度の遷移に基づいて、前記水晶発振子の発振周波数の周波数偏差に、所定値の変動がある毎に、設定タイミングを決定し、そのときの平均温度又は前記水晶発振子の発振周波数の周波数偏差を前記パラメータとして記憶する。これにより、前記周波数調整部による調整量に直接的に反映される、前記水晶発振子の発振周波数の周波数偏差に基づいた計時遅れの補正が可能となり、より精度の高い計時動作を実現できる。
【００１１】
前記温度補正テーブルが、地域毎に決定された設定タイミングとパラメータとによる複数のデータテーブルによって構成され、前記電子時計装置が設置された地域に対応したデータテーブルが、前記補正値設定部で参照されるテーブルとして選択されるものであってもよい。
【００１２】
本発明の電子機器は、上述のいずれかの電子時計装置を備え、該電子時計装置で計時された日時に基づいて動作することを特徴とする。
【００１３】
本発明の制御システムは、上述のいずれかの電子時計装置を備え、システムを構成する各装置が、前記電子時計装置で計時された日時に基づいて動作することを特徴とする。
【発明の効果】
【００１４】
本発明によると、年間の設定タイミングを周波数調整部での調整量に基づいて決定するため、温度差が小さく周波数調整部による調整量に変化がない設定タイミングを記憶させる必要がなく、温度補正テーブルの記憶容量を最小限に抑制できる。又、水晶発振子の発振周波数の周波数偏差によって年間の設定タイミングを決定する場合は、水晶発振子の発振周波数の周波数偏差が、周波数調整部による調整量に直接的に反映されるため、より精度の高い計時動作を実現できる。
【図面の簡単な説明】
【００１５】
【図１】は、本発明の電子時計装置の内部構成を示すブロック図である。
【図２】は、音叉型水晶発振子の発振周波数の温度特性の概略を示すグラフである。
【図３】は、図１の電子時計装置が記憶する温度補正テーブルの第１例を示す図である。
【図４】は、図１の電子時計装置が記憶する温度補正テーブルの第２例を示す図である。
【図５】は、実施例１の制御システムの構成を示すブロック図である。
【図６】は、プログラムタイマ装置の内部構成を示すブロック図である。
【発明を実施するための形態】
【００１６】
＜電子時計装置の構成＞
本発明の電子時計装置の構成について、図面を参照して以下に説明する。図１は、本発明の電子時計装置の内部構成を示すブロック図である。
【００１７】
図１に示す電子時計装置１は、音叉型水晶発振子１１ａを備えた発振器１１と、発振器１１より出力されるクロック信号の周波数を分周する分周器１２と、分周器１２で分周されたクロック信号によって日時を計時する計時部１３と、計時部１３で計時された日時に基づいて補正値を設定する補正値設定部１４と、補正値設定部１４で設定される補正値又は周囲温度を日時に基づいて記憶する温度補正テーブル１５と、発振器１１による発振周波数及び分周器１２による分周率を調整する周波数調整部１６と、を備える。
【００１８】
このように構成される電子時計装置１において、発振器１１が、音叉型水晶発振子１１ａが発振して得られる、基準発振周波数による発振信号に基づき、矩形波となるクロック信号を生成して分周器１２に出力する。分周器１２は、発振器１１から入力されるクロック信号の周波数を分周して、計時用の周波数となるクロック信号（計時用信号）とし、計時部１３に出力する。尚、音叉型水晶発振子１１ａ、発振器１１、及び分周器１２によって、「計時用信号生成部」が構成される。計時部１３は、分周器１１からのクロック信号のパルスに同期して計数することによって、日時を計時する。このように、発振器１１、分周器１２、及び計時部１３が動作することで、電子時計装置１は、計時した現在の日時を出力できる。
【００１９】
又、計時部１３で計時された日時は、補正値設定部１４に送出され、この補正値設定部１４において、発振器１１での発振動作及び分周器１２での分周動作に対する補正値の設定タイミングが確認される。即ち、計時部１３で計時された日時が与えられた補正値設定部１４は、温度補正テーブル１５に記憶された日時と対比し、補正値を切り換えるタイミングとなったか否かを判定する。そして、補正値設定部１４は、計時部１３で計時された日時が、温度補正テーブル１５に記憶された日時の１つと一致することを確認すると、一致した日時とともに温度補正テーブル１５に記憶された周囲温度又は補正値を読み出す。このとき、温度補正テーブル１５に装置周囲温度が記憶されている場合、補正値設定部１４は、読み出した周囲温度と基準温度（略２５度）との温度差に基づいて、補正値を演算する。
【００２０】
尚、補正値設定部１４で得られる補正値として、例えば、音叉型水晶発振子の発振周波数の周波数偏差（単位ｐｐｍ）が用いられる。この音叉型水晶発振子１１ａにおける発振周波数の温度特性の概略を、図２のグラフに示す。図２のグラフに示すように、尚、図２のグラフにおいて、横軸が温度を示し、縦軸が発振周波数の周波数偏差を示す。音叉型水晶発振子１１ａにおける発振周波数の温度特性は、図２のグラフに示すように、周囲温度が略２５度から離れるに従って、周波数偏差が二次関数的に負の方向に大きくなる。即ち、周囲温度が略２５度から離れるに従って、音叉型水晶発振子１１ａの発振周波数が低くなるため、計時部１３へ出力するクロック信号の周波数を調整しない場合は、計時部１３における計時遅れが二次関数的に増大する。
【００２１】
そして、補正値設定部１４で、周囲温度に対応した周波数偏差による補正値が取得されると、周波数調整部１６に補正値が与えられる。この補正値が与えられる周波数調整部１６は、補正値に応じて、発振器１１の発振タイミング及び分周器１２の分周率を決定し、分周器１２より計時部１３に出力されるクロック信号の周波数を調整する。即ち、周波数調整部１６は、基準温度より離れた周囲温度であるほど、分周器１２から出力されるクロック信号の周波数が、その周囲温度に応じた周波数偏差分だけ高くなるように、発振器１１の発振タイミング及び分周器１２の分周率を調整する。これにより、周囲温度に基づいて低くなる音叉型水晶発振子１１ａの発振周波数による影響を抑制し、計時部１３での計時遅れを防止できる。
【００２２】
＜温度補正テーブルの第１構成例＞
上述のような構成の電子時計装置１における、温度補正テーブル１５の第１の構成例を、図３を参照して説明する。図３の温度補正テーブルには、１日分の平均温度に基づいて決定された補正値の設定タイミング（日単位又は週単位）が１年を通じて記憶される。以下では、温度補正テーブルには、日単位で補正値の設定タイミングが記憶されるものとして、説明する。又、図３の温度補正テーブル１５は、最高温度がＴ０＋２×ΔＴとなるとともに、最低温度がＴ０−３×ΔＴとなる地域における１年間の温度変化に基づいて構成される例を示したものである。尚、週単位の設定タイミングが記憶される場合は、１週間分の平均温度に基づいて、補正値の設定タイミングが記憶されるものとしてもよい。
【００２３】
図３に示すように、温度補正テーブル１５には、周波数偏差が０となる基準温度Ｔ０になる日をＤＡ０として記憶し、周囲温度がΔＴだけ変化する毎に、補正値の設定タイミングとなる日ＤＡ１〜ＤＡ１１を記憶する。即ち、周囲温度Ｔ０＋ΔＴとなる日ＤＡ１、周囲温度Ｔ０＋２×ΔＴとなる日ＤＡ２、周囲温度Ｔ０＋ΔＴとなる日ＤＡ３、・・・のように、その周囲温度が前回の設定タイミングに対してΔＴだけ高く又は低くなる日が、次の設定タイミングとして記憶される。尚、図３に示す例では、温度補正テーブル１５に、設定タイミングＤＡ０〜ＤＡ１１それぞれに対して、周波数偏差として、―α×（ｍ×ΔＴ）２（α：係数、ｍ：０≦ｍ≦３の整数）が記憶される。即ち、周囲温度Ｔ０±ｍ×ΔＴに対して、周波数偏差―α×（ｍ×ΔＴ）２が記憶される。
【００２４】
図３のように、温度補正テーブル１５に設定タイミング、周囲温度、及び周波数偏差が記憶されているとき、補正値設定部１４は、計時部１３で計時された日時が設定タイミングとなる日ＤＡ０〜ＤＡ１１のいずれかと一致したことを確認すると、その一致した設定タイミングに対する周囲温度又は周波数偏差を読み出す。このとき、補正値設定部１４は、温度補正テーブル１５より周囲温度を読み出す場合は、この周囲温度による周波数偏差を補正値として算出して、周波数調整部１６に送出する。一方、補正値設定部１４が、温度補正テーブル１５より周波数偏差を読み出す場合は、読み出された周波数偏差が、補正値として周波数調整部１６に送出される。
【００２５】
＜温度補正テーブルの第２構成例＞
上述のような構成の電子時計装置１における、温度補正テーブル１５の第２の構成例を、図４を参照して説明する。図４の温度補正テーブルには、１日分の平均温度による周波数偏差に基づいて決定された補正値の設定タイミング（日単位又は週単位）が１年を通じて記憶される。以下では、温度補正テーブルには、日単位で補正値の設定タイミングが記憶されるものとして、説明する。又、図４の温度補正テーブル１５は、上述の第１例（図３参照）と同様、最高温度がＴ０＋２×ΔＴとなるとともに、最低温度がＴ０−３×ΔＴとなる地域における１年間の温度変化に基づいて構成される例を示したものである。尚、週単位の設定タイミングが記憶される場合は、１週間分の平均温度による周波数偏差に基づいて、補正値の設定タイミングが記憶されるものとしてもよい。
【００２６】
図４に示すように、温度補正テーブル１５には、周波数偏差が０となる基準温度Ｔ０になる日をＤＢ０として記憶し、周波数偏差がΔＫだけ変化する毎に、補正値の設定タイミングとなる日ＤＢ１〜ＤＢ２５を記憶する。即ち、周囲温度Ｔ０＋β（ΔＫ）１／２となる日ＤＢ１、周囲温度Ｔ０＋β（２×ΔＫ）１／２となる日ＤＢ２、周囲温度Ｔ０＋β（３×ΔＫ）１／２となる日ＤＢ３、・・・のように、その周波数偏差が前回の設定タイミングに対してΔＫだけ高く又は低くなる日が、次の設定タイミングとして記憶される。尚、図４に示す例では、温度補正テーブル１５に、設定タイミングＤＢ０〜ＤＢ２５それぞれに対して、周波数偏差として、―ｎ×ΔＫ（α：係数、ｎ：０≦ｎ≦９の整数）が記憶される。即ち、周囲温度Ｔ０±β（ｎ×ΔＫ）１／２に対して、周波数偏差―ｎ×ΔＫが記憶される。
【００２７】
図４のように、温度補正テーブル１５に設定タイミング、周囲温度、及び周波数偏差が記憶されているとき、補正値設定部１４は、計時部１３で計時された日時が設定タイミングとなる日ＤＢ０〜ＤＢ２５のいずれかと一致したことを確認すると、その一致した設定タイミングに対する周囲温度又は周波数偏差を読み出す。このとき、上述の第１例と同様、補正値設定部１４は、温度補正テーブル１５より周囲温度を読み出す場合は、この周囲温度による周波数偏差を補正値として算出して、周波数調整部１６に送出する。一方、補正値設定部１４が、温度補正テーブル１５より周波数偏差を読み出す場合は、読み出された周波数偏差が、補正値として周波数調整部１６に送出される。
【００２８】
尚、図３又は図４に示す構成の温度補正テーブル１５は、１地域に対するものとして例示したが、複数地域に対応した構成のデータテーブルによって構成されるものであってもよい。このとき、温度補正テーブル１５は、地域毎に図３又は図４に示す構成のテーブルを備える。このとき、電子時計装置１は、不図示の操作部への操作や不図示の通信部による信号の受信などによって、その設置された地域が指定されることで、温度補正テーブル１５より、指定された地域に対応したデータテーブルが選択される。このように温度補正テーブル１５より選択されたデータテーブルに基づいて、補正値設定部１４が補正値の設定を行うため、周波数調整部１６によって、電子時計装置１の設置地域に応じた温度変化に対応した調整動作がなされる。
【実施例１】
【００２９】
本発明の実施例１として、上述の電子時計装置をプログラムタイマ装置に設けた実施例を挙げ、図面を参照して以下に説明する。図５は、本実施例におけるプログラムタイマ装置を有する制御システムの構成を示すブロック図である。図６は、図５の制御システムにおけるプログラムタイマ装置の内部構成を示すブロック図である。又、本実施例に示す制御システムとして、信号線Ｌｓを用いた時分割多重伝送方式により信号の送受信を行う時分割多重伝送方式による制御システムを例に挙げて説明するが、ＲＳ２３２ＣやＲＳ４８５などの双方向通信方式による制御システムや、イーサネット（登録商標）などを利用したＬＡＮ（Local Area Network）による制御システムとしてもよい。
【００３０】
図５に示す制御システムは、タイムスケジュール制御を行うために各制御内容を記憶しているプログラムタイマ装置３と、負荷機器６の制御内容の入力を受け付ける入力用端末装置４と、負荷機器６の動作を制御する負荷用端末装置５とが、信号線Ｌｓを介して、伝送制御装置２と接続されることで、構成される。このとき、負荷機器６を照明器とし、プログラムタイマ装置３に記憶する制御内容、又は、入力用端末装置４で受け付ける制御内容がそれぞれ、負荷機器６のＯＮ／ＯＦＦである場合、負荷用端末装置５は、負荷機器６への電源の投入／遮断を行うリレースイッチと、このリレースイッチに制御信号を与えるリレー制御装置とによって構成される。
【００３１】
この制御システムにおける時分割多重伝送方式により送受信される時分割多重信号について、簡単に説明する。伝送制御装置２は、後述する制御信号やダミー信号を含む時分割多重信号を送信する。そして、この伝送制御装置２から送信される時分割多重信号は、同期パルス、信号のモードを示すモードデータ、送信相手となる（アクセスする）端末装置（プログラムタイマ装置３、入力用端末装置４、及び負荷用端末装置５に相当）のアドレス（８ビット）を示すアドレスデータ、制御内容を示す制御データ、伝送誤りを検出するためのチェックサムデータ、及び、端末装置からの返信信号を返信させるためのタイムスロットである信号返送期間によって構成され、各データは、パルス幅変調によって形成される。
【００３２】
この伝送制御装置２から送信される時分割多重信号は、一定時間毎に送信される常時ポーリングとして機能する。そして、通信相手となる端末装置に制御信号となる時分割多重信号を送信する場合は、制御内容による制御データがアドレスデータとともに時分割多重信号内に組み込まれる。又、制御信号を伝送制御装置２が送信する必要がない場合は、端末装置からの割込を受け入れるために、伝送制御装置２は、割込許可を示すダミーモードによるモードデータと同期パルスとによって構成される時分割多重信号を、ダミー信号として送信する。
【００３３】
一方、端末装置が割込を行う場合は、伝送制御装置２からのダミー信号を受信したときに、そのダミー信号の同期パルスに同期応答するために、自機器が割込を行うことを示す割込信号を生成し、この割込信号を伝送制御装置２に返信する。このとき、割込信号を受信した伝送制御装置２は、端末装置からの割込があることを認識するため、割込信号が同期したダミー信号に続く次の時分割多重信号を送信する際、そのモードデータを割込ポーリングモードとした割込ポーリング信号を送信する。この割込ポーリング信号は、割込信号を送信した端末装置から返信があるまで、アドレスデータの上位ビットを順に増加させて繰り返し送信される。
【００３４】
その後、割込を要求した端末装置が、そのアドレスの上位ビットと一致するアドレスデータを備えた割込ポーリング信号を受信したとき、自機器のアドレスの下位ビットを、割込ポーリング信号の信号返送期間における監視データとして伝送制御装置２に返信する。伝送制御装置２は、監視データを受信すると、割込ポーリング信号のアドレスデータ及び監視データそれぞれから、割込要求した端末装置のアドレスを獲得する。よって、伝送制御装置２は、獲得したアドレスによるアドレスデータによる制御信号を生成して、そのモードデータを監視モードとして送信した後、割込を要求した端末装置から返信される、信号返送期間における監視データを受信する。
【００３５】
そして、伝送制御装置２は、端末装置からの監視データを処理することで、端末装置から送信される情報の内容を認識する。例えば、割込を要求した端末装置がプログラムタイマ装置３である場合、プログラムタイマ装置３は、監視モードとした制御信号の信号返送期間に、制御相手となる端末装置のアドレスと制御内容を示す監視データを、伝送制御装置２に返信する。これにより、プログラムタイマ装置３の割込動作により、伝送制御装置２は、所定時刻に、所定の端末装置に対して所定の制御動作を指示できる。
【００３６】
このような制御システムにおけるプログラムタイマ装置３は、図６に示すように、２線式の信号線Ｌｓに接続されて電源を取得する電源部３１と、信号線Ｌｓに接続されて後述の伝送制御装置２との間で信号の送受を行う通信部３２と、日時を計時する時計部３３と、プログラムタイマ装置３に設定されたアドレスを記憶するアドレス設定部３４と、プログラムタイマ装置３の各動作を実行するための信号処理を行う信号処理部３５と、外部からの入力を受け付ける入力キー３６と、時計部３３で計時される現在時刻や入力キー３６により受け付けた入力内容などを表示する液晶表示部３７と、を備える。
【００３７】
このようなプログラムタイマ装置３は、その内部に図１の電子時計装置１が組み込まれた構成とされる。そのため、音叉型水晶発振子１１ａ、発振器１１、分周器１２、計時部１３、及び周波数調整部１６（図１参照）によって、時計部３３が構成されるとともに、信号処理部３５が、その一部として、補正値設定部１４及び温度補正テーブル１５（図１参照）による機能部分を備える。よって、プログラムタイマ装置３は、その内部に、図１に示す電子時計装置１が組み込まれた構成となるため、時計部３３における計時遅れを防ぐことができ、正確な日時を計時できる。
【００３８】
このプログラムタイマ装置３は、入力キー３６が操作されることで、制御システム内の負荷機器６それぞれの制御内容と制御時刻とが入力され、信号処理部３５で記憶される。そして、信号処理部３５では、時計部３３で計時される現在時刻に基づいて、記憶している制御時刻に達したことを認識したとき、その制御時刻に対して制御対象となる負荷機器６と、その制御内容とを読み出す。このとき、信号処理部３５は、制御対象となる負荷機器６を制御する負荷用端末装置５を特定するアドレスデータと、その制御内容とによって、伝送制御装置２へ返信するための監視データを生成する。
【００３９】
即ち、記憶している制御時刻に達成したとき、通信部３２は、伝送制御装置２からのダミー信号に同期して割込信号を送信する。その後、アドレス設定部３４に記憶したアドレスの上位ビットによってアドレスデータが構成された割込ポーリング信号に返信した後、通信部３２で更に制御信号を受信すると、達成した制御時刻に制御する制御内容と、負荷用端末装置５を特定するアドレスデータとによってなる監視データを生成し、通信部３２より伝送制御装置２に返信する。
【００４０】
よって、伝送制御装置２は、プログラムタイマ装置３の割込によって、予め設定された時刻に、制御対象となる負荷用端末装置５のアドレスと、その制御内容とを認識できる。そして、伝送制御装置２は、プログラムタイマ装置３の割込によって認識した負荷用端末装置５のアドレスデータと、その制御内容を示す制御データとによる制御信号を、生成して、信号線Ｌｓより、目的の負荷用端末装置５に送信する。このように動作することで、プログラムタイマ装置３で設定されたタイムスケジュール制御が実現されるため、所定時刻に所定の負荷機器６を所定の動作で動作させることができる。
【産業上の利用可能性】
【００４１】
本発明は、水晶発振子により計時動作を行う電子時計装置を備えた電子機器、又は、このような電子機器を組み込まれた制御システムや管理システムなどに適用することが可能である。
【符号の説明】
【００４２】
１                電子時計装置
２                伝送制御装置
３                プログラムタイマ装置
４                入力用端末装置
５                負荷用端末装置
６                負荷機器
１１              発振器
１１ａ            音叉型水晶発振子
１２              分周器
１３              計時部
１４              補正値設定部
１５              温度補正テーブル
１６              周波数調整部
【図１】
2010190585.tif 000003
【図２】
2010190585.tif 000004
【図３】
2010190585.tif 000005
【図４】
2010190585.tif 000006
【図５】
2010190585.tif 000007
【図６】
2010190585.tif 000008